(57)【要約】【課題】従来の鍛造金型では、製品形状によっては型内面に生じる引張応力を充分に低減することが難しくなるという問題点があった。【解決手段】密閉された成形空間Ｃを形成する上型２及び下型３を備え、上型２が、製品Ｆの上面を成形する内側分割型４と、製品Ｆの外周面を成形する外側分割型５とを備え、成形空間Ｃが、内側分割型４及び外側分割型５の型内面同士で形成した角部と製品Ｆとの間に隙間Ｓを形成する容積であり、内側分割型４及び外側分割型５が、いずれか一方の型内面を延長した分割面Ｂで分割してある鍛造金型１とし、成形空間Ｃの外周端部が比較的狭い場合、つまり、フェースギアのように外周端部に凹凸を有する製品Ｆを製造する場合でも、型内面に生じる引張応力を充分に抑制する。【選択図】図１
2018192484.tif 000002
【特許請求の範囲】
【請求項１】
円盤状を成す製品を成形する鍛造金型であって、
密閉された成形空間を形成する上型及び下型を備えると共に、
上型が、製品の上面を成形する内側分割型と、製品の外周面を成形する外側分割型とを備え、
成形空間が、内側分割型及び外側分割型の型内面同士で形成した角部と製品との間に隙間を形成する容積であると共に、
内側分割型及び外側分割型が、いずれか一方の型内面を延長した分割面で分割してあることを特徴とする鍛造金型。
【請求項２】
前記隙間が、製品の欠肉部により形成されることを特徴とする請求項１に記載の鍛造金型。
【請求項３】
前記隙間が、内側分割型及び外側分割型のいずれか一方の一部を除去した欠除部により形成されることを特徴とする請求項１に記載の鍛造金型。
【請求項４】
前記製品が、フェースギアであって、
前記内側分割型が、歯列を含む上面を形成すると共に、前記外側分割型が、歯の外周端面を含む外周面を形成し、
前記隙間が、歯先の外周端部の位置に設けてあると共に、前記分割面が、歯列の凹凸に沿って設けてあることを特徴とする請求項１〜３のいずれか１項に記載の鍛造金型。
【発明の詳細な説明】
【技術分野】
【０００１】
本発明は、鍛造に用いる鍛造金型に関し、とくに、上下の型で密閉された成形空間を形成する鍛造金型の改良に関するものである。
【背景技術】
【０００２】
一般に、鍛造金型では、鍛造時の負荷により生じる金型の割れを防止するための対策が知られており、その一例として、非特許文献１に記載された金型圧入方式の鍛造金型がある。この鍛造金型は、成形空間を有する主型とダイホルダとの間に、適数のシュリンクリングを同心状に配置した構造である。そして、鍛造金型は、鍛造前に、主型とダイホルダとの間にシュリンクリングを圧入することで、主型の型内面に負の応力を負荷する。これにより、鍛造金型は、成形空間に製品素材を加圧充填した際、製品素材の押圧力で型内面に生じる引張応力を低減し、金型の割れを防止するものである。
【先行技術文献】
【非特許文献】
【０００３】
【非特許文献１】「わかりやすい鍛造加工」日刊工業新聞社．２００５年４月．ｐ８４−８７．
【発明の概要】
【発明が解決しようとする課題】
【０００４】
しかしながら、上記したような従来の鍛造金型では、密閉された成形空間の外周端部が比較的狭い場合、その外周端部まで製品素材を充填するには、より大きい鍛造圧力が必要になるので、製品形状によっては型内面に生じる引張応力を充分に低減することが難しくなるという問題点があり、このような問題点を解決することが課題であった。
【０００５】
本発明は、上記従来の課題に着目して成されたもので、密閉された成形空間の外周端部が比較的狭い場合、つまり、外周端部に凹凸を有するような製品を製造する場合でも、型内面に生じる引張応力を充分に抑制することができる鍛造金型を提供することを目的としている。
【課題を解決するための手段】
【０００６】
本発明に係わる鍛造金型は、円盤状を成す製品を成形する鍛造金型であって、密閉された成形空間を形成する上型及び下型を備えると共に、上型が、製品の上面を成形する内側分割型と、製品の外周面を成形する外側分割型とを備えている。そして、鍛造金型は、成形空間が、内側分割型及び外側分割型の型内面同士で形成した角部と製品との間に隙間を形成する容積であると共に、内側分割型及び外側分割型が、いずれか一方の型内面を延長した分割面で分割してあることを特徴としている。
【発明の効果】
【０００７】
本発明に係わる鍛造金型は、内側分割型及び外側分割型の型内面同士で形成した角部、すなわち最終的に製品素材が充填される角部に、隙間を設けると共に、内側分割型と外側分割型との分割面を設けているので、隙間に分割面の末端が存在しており、その角部に製品素材の押圧力が作用しても、角部に引張応力が生じることがない。
【０００８】
これにより、鍛造金型は、密閉された成形空間の外周端部が比較的狭い場合、つまり、外周端部に凹凸を有するような製品を製造する場合でも、また、大きい鍛造圧力を付与する場合でも、製品素材の押圧力により型内面に生じる引張応力を充分に抑制することができる。
【図面の簡単な説明】
【０００９】
【図１】本発明に係わる鍛造金型の第１実施形態を説明する断面図である。
【図２】製品の一例であるフェースギアを説明する斜視図である。
【図３】フェースギアに対する分割型及び分割面の配置を説明する要部の斜視図である。
【図４】本発明に係わる鍛造金型の第２実施形態を説明する断面図である。
【発明を実施するための形態】
【００１０】
〈第１実施形態〉
図１に示す鍛造金型１は、円盤状を成す製品Ｆを成形するものであって、密閉された成形空間Ｃを形成する上型２及び下型３を備えている。図示例の場合、上型２がラム側、下型３がボルスタ側であって、固定した下型３に対して上型２が昇降する。
【００１１】
上型２は、製品Ｆの上面を成形する内側分割型４と、製品Ｆの外周面を成形する外側分割型５とを備えており、内側分割型４の中心に、ノックアウトピン６が上下動可能に設けてある。上型２は、図中に仮想線で一部を示す型ホルダ７に保持されている。
【００１２】
他方、下型３は、製品Ｆの下面を形成すると共に、その中心に、ノックアウトピン８が上下動可能に設けてある。したがって、鍛造金型１は、ノックアウトピン６，８を含む上下の型２，３により密閉された成形空間Ｃを形成している。
【００１３】
また、鍛造金型１は、成形空間Ｃが、内側分割型４及び外側分割型５の型内面同士で形成した角部と製品との間に隙間Ｓを形成する容積である。内側分割型４及び外側分割型５は、いずれか一方の型内面を延長した分割面Ｂで分割してある。この実施形態では、外側分割型４の垂直な型内面を上方に延長して分割面Ｂを形成している。さらに、分割面Ｂの一部には、両分割型４，５の周方向の位相のずれを防止するために、回転防止ピン９が介装してある。
【００１４】
ここで、この実施形態の製品Ｆは、図２に示すフェースギアＦＧである。この場合、フェースギアＦＧは、複数の鍛造工程を経て製品素材から最終形状に成形され、とくに、図１に示す鍛造金型１で最終形状に成形される。このとき、最終の鍛造工程よりも前の鍛造工程では、製品素材の形状が次第に製品形状に近づくように成形していくので、細部の無い比較的大まかな形状に成形する。
【００１５】
これに対して、最終の鍛造工程では、フェースギアＦＧの歯面精度を確保するために、製品素材を歯先まで充分に充填する必要がある。このため、鍛造金型１は、最終的に製品素材が充填される成形空間Ｃの外周端部、つまり、フェースギアＦＧの歯先の外周端部に相当する部分が比較的狭い構造になっている。
【００１６】
そこで、鍛造金型１は、図３にドットパターンで示す内側分割型４が、各歯Ｔの歯列を含む上面を形成すると共に、図３に斜線パターンで示す外側分割型５が、歯Ｔの外周端面Ｔ１を含む外周面Ｔ２を形成するものとしている。そして、鍛造金型１は、歯先の外周端部Ｔ３の位置に隙間Ｓが設けてあると共に、図中に点線で示すように、歯列の凹凸に沿って両分割型４，５の分割面Ｂが設けてある。
【００１７】
さらに、この実施形態の鍛造金型１は、隙間Ｓが、製品Ｆの欠肉部Ｆａにより形成されるものとしている。つまり、成形空間Ｃの容積に比べて、製品素材の体積を若干小さくしている。また、この実施形態では、製品ＦがフェースギアＦＧであるから、図２に示すように、欠肉部Ｆａが、歯先の外周端部Ｔ３の位置であって、歯面における歯当たり領域Ｔａの外側に設けてあるから、歯車機能への影響は全くない。
【００１８】
上記構成を備えた鍛造金型１は、上型２を上昇させた状態にして、製品素材を下型３にセットする。この際、製品素材は、前工程で所定形状に成形してあり、所定の加熱が施してある。その後、鍛造金型１は、上型２を下降させて、製品素材を成形空間Ｃに充填するように成形する。
【００１９】
この際、鍛造金型１は、内側分割型４及び外側分割型５の型内面同士で形成した角部、すなわち最終的に製品素材が充填される角部に、隙間Ｓを設けると共に、隙間Ｓの部分に内側分割型４と外側分割型５との分割面Ｂの末端が存在する。このため、鍛造金型１は、その角部に製品素材の押圧力が作用しても、角部に引張応力が生じることがなく、引張応力により型に割れが生じることもない。その後、鍛造金型１は、上型２を上昇させると共に、製品Ｆが残った型のノックアウトピン６，８により製品Ｆを離型させる。
【００２０】
このように、鍛造金型１は、密閉された成形空間Ｃの外周端部が比較的狭い場合、つまり、外周端部に凹凸を有するような製品を製造する場合でも、また、大きい鍛造圧力を付与する場合でも、製品素材の押圧力によって型内面に生じる引張応力を充分に抑制することができる。
【００２１】
また、鍛造金型１は、製品Ｆの欠肉部Ｆａにより隙間Ｓを形成することから、製品素材の体積を調整するだけで、隙間Ｓ及び分割面Ｂによる引張応力の抑制効果を得ることができる。
【００２２】
さらに、鍛造金型１は、製品ＦがフェースギアＦＧであって、隙間Ｓが、歯先の外周端部Ｔ３の位置に設けてあると共に、分割面Ｂが、歯列の凹凸に沿って設けてある。このため、鍛造金型１は、密閉された成形空間Ｃの外周端部が、フェースギアＦの歯先の外周端部Ｔ３に相当するので、比較的狭い空間になっているが、隙間Ｓ及び分割面Ｂにより、型内面に生じる引張応力を抑制する。
【００２３】
したがって、鍛造金型１は、製品素材が歯先の外周端部Ｔ３まで充分に充填されるように高い鍛造圧力を付与しても、型内面に生じる引張応力を抑制し得るので、型の割れを発生させることなく、歯面精度の高いフェースギアＦＧを製造することができる。
【００２４】
〈第２実施形態〉
図４は、本発明に係わる鍛造金型の第２実施形態を説明する図である。第２実施形態において、第１実施形態と同一の構成部位は、同一符号を付して詳細な説明を省略する。
【００２５】
図示の鍛造金型１は、成形空間Ｃが、内側分割型４及び外側分割型５の型内面同士で形成した角部と製品Ｆとの間に隙間Ｓを形成する容積であると共に、外側分割型５の垂直な型内面を上方に延長した分割面Ｂで両分割型４，５を分割している。
【００２６】
そして、鍛造金型１は、隙間Ｓが、内側分割型４一部を除去した欠除部４ａにより形成されている。欠除部４ａは、内側分割型４の分割面Ｂ側の角に面取りを施す要領で形成してあり、これにより成形空間Ｃの一部を成す隙間Ｓを形成している。
【００２７】
上記の鍛造金型１は、先の実施形態と同様に、内側分割型４及び外側分割型５の型内面同士で形成した角部、すなわち最終的に製品素材が充填される角部に、隙間Ｓを設けると共に、内側分割型４と外側分割型５との分割面Ｂを設けている。これにより、鍛造金型１は、、角部において、隙間Ｓと分割面Ｂの末端が存在しているので、その角部に製品素材の押圧力が作用しても、角部に引張応力が生じることがない。
【００２８】
これにより、鍛造金型１は、密閉された成形空間Ｃの外周端部が比較的狭い場合、つまり、外周端部に凹凸を有するような製品を製造する場合でも、また、大きい鍛造圧力を付与する場合でも、製品素材の押圧力によって型内面に生じる引張応力を充分に抑制することができ、型の割れ等が発生することもない。
【００２９】
さらに、上記の鍛造金型１は、内側分割型４の一部を除去した欠除部４ａにより隙間Ｓを形成しているので、内側分割型４の一部を加工するだけで、隙間Ｓ及び分割面Ｂによる引張応力の抑制効果を得ることができる。
【００３０】
本発明に係わる鍛造金型は、その構成が上記各実施形態のみに限定されるものではなく、本発明の要旨を逸脱しない範囲で適宜変更可能である。例えば、各実施形態では、外側分割型５の型内面を延長して分割面Ｂを形成するものとしたが、内側分割型４の水平な型内面を横方向に延長して分割面Ｂを形成することも可能であり、この場合、外側分割型５に、欠除部を設けて隙間を形成することができる。
【００３１】
また、各実施形態では、製品ＦとしてフェースギアＦＧを例示したが、それ以外のものでも当選適用可能であり、とくに、密閉された成形空間Ｃの外周端部が比較的狭い場合、つまり、外周端部に凹凸を有するような製品を製造する鍛造金型に有効である。
【符号の説明】
【００３２】
１  鍛造金型
２  上型
３  下型
４  内側分割型
４ａ  欠除部
５  外側分割型
Ｂ  分割面
Ｃ  成形空間
Ｆ  製品
Ｆａ  欠肉部
ＦＧ  フェースギア（製品）
Ｓ  隙間
Ｔ  歯
Ｔ１  歯の外周端面Ｔ１
Ｔ２  フェースギアの外周面
Ｔ３  歯先の外周端部
【図１】
2018192484.tif 000003
【図２】
2018192484.tif 000004
【図３】
2018192484.tif 000005
【図４】
2018192484.tif 000006